(57)【要約】【課題】アウトソールとミッドソールとの剥離が十分に防止されると共に、アウトソールの側面への露出量が小さいゴルフシューズ用ソールを提供する。【解決手段】アウトソール１１の周縁に立設された立ち上げ縁部の少なくとも一部が、アウトソールの最外縁の第１立上部１３と、この第１立上部１３よりも内側に設けられた、第１立上部１３よりも上方にまで立ち上がる第２立上部１４とを有し、ミッドソール１２が第２立上部１４の外側面１４ａを覆っている。立ち上げ縁部を外側の第１立上部１３と内側の第２立上部１４とで構成し、この第２立上部１４を第１立上部１３よりも高くしたことにより、アウトソール１１とミッドソール１２との剥離が十分に防止される。ソールの側面に露出するのは第２立上部１４よりも高さの低い第１立上部１３であるため、ソール側面へのアウトソール露出量（高さ）も少ないため、ソール側面の美観を高めることも可能である。【選択図】図１
2006006636.tif 000002
【特許請求の範囲】
【請求項１】
アウトソールとアウトソールより柔軟なミッドソールとが積層されてなり、該アウトソールの周縁から立ち上げ縁部が立設されているゴルフシューズ用ソールにおいて、
少なくとも一部の該立ち上げ縁部は、該アウトソールの最外縁の第１立上部と、該第１立上部よりも内側に設けられた、該第１立上部よりも上方にまで立ち上がる第２立上部とを有し、
前記ミッドソールが該第２立上部の外側面を覆っていることを特徴とするゴルフシューズ用ソール。
【請求項２】
請求項１において、該第２立上部の外側面は、上方ほど内側となるように傾斜していることを特徴とするゴルフシューズ用ソール。
【請求項３】
請求項１において、該第２立上部の外側面は、ゴルフシューズ用ソールの底面に対し略垂直であることを特徴とするゴルフシューズ用ソール。
【請求項４】
請求項１ないし３のいずれか１項において、該第２立上部は該第１立上部よりも２〜８ｍｍ高いことを特徴とするゴルフシューズ用ソール。
【請求項５】
請求項１ないし４のいずれか１項において、該ゴルフシューズ用ソールの前足部の外側の側縁と内側の側縁とにのみ前記該第１立上部及び第２立上部を有した立ち上げ縁部が設けられていることを特徴とするゴルフシューズ用ソール。
【発明の詳細な説明】
【技術分野】
【０００１】
本発明はゴルフシューズ用ソールに係り、特に、アウトソールとアウトソールより柔軟なミッドソールとが積層されたゴルフシューズ用ソールにおけるアウトソールとミッドソールの剥離の問題を解決したゴルフシューズ用ソールに関する。
【背景技術】
【０００２】
ゴルフシューズ用ソールの底面は、一般に、アウトソールと該アウトソールの上側に積層された、該アウトソールよりも柔軟なミッドソールとの積層体で構成されている。このアウトソールとミッドソールとがソール周縁において剥離することを防止するためにアウトソールの周縁の少なくとも一部に立ち上げ縁部を設けることが行われている（例えば特開２０００−７０００２号公報の図２参照）。
【０００３】
図３は、市販されているゴルフシューズのソールの一例を示す底面図であり、図４は、ソール幅方向の縦断面図（図３のIV−IV線に沿う断面図）である。このゴルフシューズ用ソール１は、アウトソール２とミッドソール３との積層体よりなる。アウトソール２の底面には多数の突起４が設けられている（図４において、ＧＬはグランドラインである。）。
【０００４】
このアウトソール２の外側及び内側の側縁にあっては、上方にｈ＝３〜１５ｍｍ程度立ち上がる立ち上げ縁部５が設けられている。ミッドソール３は、この立ち上げ縁部５の内側面５ａと頂面５ｂとの双方に接している。立ち上げ縁部５の外側面５ｃは外部に露出している。
【特許文献１】特開２０００−７０００２号公報
【発明の開示】
【発明が解決しようとする課題】
【０００５】
ゴルファーがスイングを行うと、ゴルファーの身体が強く捻られるので、ソールのアウトソールとミッドソールとの界面には足幅方向に大きな剪断応力が生じ、このためにアウトソールとミッドソールとの間に大きな引き裂き方向の力が加わり、アウトソールとミッドソールとが側縁から剥離が生じ易い。例えば、右利きのプレーヤーにおいては左足外側側縁及び右足内側側縁から剥離が生じ、左利きプレーヤーにおいては左足内側側縁及び右足外側側縁から剥離が生じることがある。
【０００６】
上記図３，４のようにアウトソール２の縁部に立ち上げ縁部５を立設することにより、この縁部からのアウトソール２とミッドソール３との剥離がある程度防止されるが、このような立ち上げ縁部を形成しても、長年使用していると剥離が生じ、ソール部の破損に到ることがある。
【０００７】
この剥離を防止するためには、立ち上げ縁部を高くすることが効果的であるが、立ち上げ縁部を高くするとデザイン性が損なわれるので、あまり高くすることはできない。特に、スニーカータイプのゴルフシューズにあっては、立ち上げ縁部をなるべく低く抑えることが望まれている。
【０００８】
なお、近年、スパイクレスシューズが普及し、ゴルフシューズを着用したままゴルフ練習場においてゴムマット等の上でスイングをすることが増えている。このようにゴムマット上でスイングすると、アウトソールとミッドソールとの間に生じる剪断応力がかなり大きなものとなり、比較的早期のうちにアウトソールとミッドソールとの間に剥離が生じることがある。
【０００９】
本発明は、アウトソールとミッドソールとの剥離が十分に防止されると共に、アウトソールの側面への露出量が小さく、デザイン性も向上させることができるゴルフシューズ用ソールを提供することを目的とする。
【課題を解決するための手段】
【００１０】
本発明（請求項１）のゴルフシューズ用ソールは、アウトソールとアウトソールより柔軟なミッドソールとが積層されてなり、該アウトソールの周縁から立ち上げ縁部が立設されているゴルフシューズ用ソールにおいて、少なくとも一部の該立ち上げ縁部は、該アウトソールの最外縁の第１立上部と、該第１立上部よりも内側に設けられた、該第１立上部よりも上方にまで立ち上がる第２立上部とを有し、前記ミッドソールが該第２立上部の外側面を覆っていることを特徴とするものである。
【００１１】
請求項２のゴルフシューズ用ソールは、請求項１において、該第２立上部の外側面は、上方ほど内側となるように傾斜していることを特徴とするものである。
【００１２】
請求項３のゴルフシューズ用ソールは、請求項１において、該第２立上部の外側面は、ゴルフシューズ用ソールの底面に対し略垂直であることを特徴とするものである。
【００１３】
請求項４のゴルフシューズ用ソールは、請求項１ないし３のいずれか１項において、該第２立上部は該第１立上部よりも２〜８ｍｍ高いことを特徴とするものである。
【００１４】
請求項５のゴルフシューズ用ソールは、請求項１ないし４のいずれか１項において、該ゴルフシューズ用ソールの前足部の外側の側縁と内側の側縁とにのみ前記該第１立上部及び第２立上部を有した立ち上げ縁部が設けられていることを特徴とするものである。
【発明の効果】
【００１５】
本発明のゴルフシューズ用ソールにあっては、立ち上げ縁部を外側の第１立上部と内側の第２立上部とで構成し、この第２立上部を第１立上部よりも高くしている。このように高い第２立上部を設けたことにより、アウトソールとミッドソールとの剥離が十分に防止される。また、ソールの側面に露出するのは第２立上部よりも高さの低い第１立上部であるため、ソール側面へのアウトソール露出量（高さ）も少ない。このため、ソール側面の美観を高めることも可能である。
【００１６】
この第２立上部の外側面は、上方ほど内側となるように傾斜していてもよいが、ソール底面に対し略垂直とすることにより、該第２立上部の外側面へのミッドソールの被り厚さを大きくし、この部分でのミッドソールの付着強度、あるいはミッドソールの耐久性を向上させることができる。
【００１７】
第２立上部を第１立上部よりも十分に例えば２〜８ｍｍ程度高くすることにより、アウトソールとミッドソールとの剥離をより十分に防止することが可能となる。
【００１８】
なお、ゴルファーがスイングしたときにソールに加えられる足幅方向の剪断応力はソールの前足部の外側及び内側の側縁において著しく大きくなる。そこで、本発明のゴルフシューズ用ソールにあっては、前足部の外側及び内側の側縁の立ち上げ縁部のみを上記の第１立上部と第２立上部とで構成するようにしてもよい。
【発明を実施するための最良の形態】
【００１９】
以下に図面を参照して本発明のゴルフシューズ用ソールの実施の形態を詳細に説明する。
【００２０】
図１は本発明のゴルフシューズ用ソールの第１の実施の形態を示し、図２は第２の実施の形態を示している。図１，２の（ａ）図はソール幅方向の縦断面図であり、前記図４と同様部分の断面を示している。（ｂ）図は（ａ）図のＢ部の拡大図である。
【００２１】
図１，２に示す如く、本発明のゴルフシューズ用ソール１０，２０は、アウトソール１１，２１とミッドソール１２，２２との積層体よりなり、アウトソール１１，２１の周縁の立ち上げ縁部が、アウトソール最外縁の第１立上部１３，２３とこの第１立上部１３，２３よりも内側に設けられた第２立上部１４，２４とで構成され、第２立上部１４，２４が第１立上部１３，２３よりも上方に立ち上がる。即ち、第２立上部１４，２４の高さが第１立上部１３，２３の高さよりも高い。このため、ミッドソール１２，２２の外周縁部に第２立上部１４，２４の外側面１４ａ，２４ａを覆う被覆片部１５，２５が形成されている。なお、本発明のゴルフシューズ用ソール１０，２０のその他の部位の構成は従来のゴルフシューズ用ソールと同様であり、アウトソール１１，２１の底面には多数の突起１６，２６が設けられている。図１，２において、ＧＬはグランドラインである。
【００２２】
本発明のゴルフシューズ用ソール１０，２０にあっては、アウトソール１１，２１の立ち上げ縁部を外側の第１立上部１３，２３と内側の第２立上部１４，２４とで構成し、この第２立上部１４，２４を第１立上部１３，２３よりも高くしている。このように立ち上げ縁部に第１立上部１３，２３と第２立上部１４，２４との段部を形成し、かつ、第２立上部１４，２４を第１立上部１３，２３よりも高くして、第２立上部１４，２４の外側面１４ａ，２４ａを覆う被覆片部１５，２５をミッドソール１２，２２に形成したことにより、ソール周縁部分におけるアウトソール１１，２１とミッドソール１２，２２との接着面積が増大し、かつ、アウトソール１１，２１とミッドソール１２，２２との係合部が形成され、スイング時に加わる剪断応力に対して抵抗力を持つことができるようになり、アウトソール１１，２１とミッドソール１２，２２との剥離が防止される。
【００２３】
また、ソールの側面に露出する第１立上部１３，２３は、第２立上部１４，２４よりも高さが低いため、ソール側面へのアウトソール露出量（高さ）も少ない。このため、ソール側面の美観を損なうこともない。
【００２４】
図１に示す如く、この第２立上部１４の外側面１４ａは、上方ほど内側となるように傾斜していてもよいが、図２に示す如く、ソール底面に対し略垂直とすることにより、該第２立上部２４の外側面へのミッドソール２２の被り厚さを大きくし、この部分でのミッドソール２２の付着強度、あるいはミッドソール２２の耐久性を向上させることができる。
【００２５】
第２立上部１４，２４は、第１立上部１３，２３よりも十分に、例えば２〜８ｍｍ（即ち、図１（ｂ）,図２（ｂ）においてｙ２＝２〜８ｍｍ）程度高くすることにより、アウトソール１１，２１とミッドソール１２，２２との剥離をより十分に防止することが可能となる。この段差ｙ２が２ｍｍ未満では第２立上部１４，２４を設けたことによる本発明の効果を十分に得ることができず、８ｍｍを超えるとソール形状に影響を及ぼし、また、比較的比重の大きいアウトソールの部分が多くなり、ソールの重量増加となり好ましくない。
【００２６】
また、第１立上部１３，２３の高さは３〜１０ｍｍ（即ち、図１（ｂ）,図２（ｂ）においてｙ１＝３〜１０ｍｍ）で、幅は１〜３ｍｍ（即ち、図１（ｂ）,図２（ｂ）においてｘ１＝１〜３ｍｍ）、第２立上部１４，２４の幅は７〜９ｍｍ（即ち、図１（ｂ）,図２（ｂ）においてｘ２＝７〜９ｍｍ）程度とするのが好ましい。
【００２７】
なお、ゴルファーがスイングしたときにソールに加えられる足幅方向の剪断応力はソールの前足部の外側及び内側の側縁において著しく大きくなる。そこで、本発明のゴルフシューズ用ソールにあっては、前足部の外側及び内側の側縁の立ち上げ縁部のみを上記の第１立上部と第２立上部とで構成するようにしてもよい。また、ソールの外側及び内側のうちの一方のみを上記の第１立上部と第２立上部とで構成するようにしても良い。
【００２８】
ゴルフシューズ用ソールを構成するアウトソールの材質としては、ゴム又はゴム様弾性材料を用いることが好ましく、より具体的には、通常のソリッド（非発泡）又は発泡のゴム類や、ソリッドのサーモプラスチックウレタン、ナイロン等を好適に用いることができる。アウトソールの材質の硬度は、ＪＩＳ−Ａ硬度で４０〜９０゜、特に６０〜７０゜の範囲が好ましい。
【００２９】
一方、ミッドソールの材質としては、発泡ゴム、発泡プラスチックといった弾性発泡体、より具体的には、ＥＶＡ（エチレンビニルアセテート）発泡体、通常の発泡ゴム、発泡ポリウレタン等を好適に用いることができる。ただし、本発明の目的を損なわない限り、ミッドソールの材質として非発泡の弾性体（ゴム類等）を用いても差し支えない。ミッドソールの材質の硬度は、アスカーＣ硬度で４０〜９０゜、特に５０〜７０゜の範囲が好ましい。
【００３０】
アウトソールの地面と接する底面には、通常、複数の滑り防止用の突起が形成されている。この突起は、アウトソールの一部を突出させてアウトソールと一体に成形したものであることが好ましい。この突起の形状は、円錐台状、多角錐台状、砲弾状、円柱状、角柱状等の任意の形状とすることできるが、先細りの形状、例えば前記円錐台状、多角錐台状、砲弾状等とすることが好ましい。また、突起の大きさにも限定はないが、径（最大径）は３〜８ｍｍ、高さは３〜８ｍｍとすることが適当である。
【００３１】
アウトソール下面における前記突起の配置位置は任意に設定することができ、例えば所定間隔を置いて（例えば突起の直径の１〜３倍の間隔を置いて）、アウトソールの下面全体に亘り配置することができる。また、突起は、ソール部を前方から爪先部、踏付け部、土踏まず部及び踵部と区分したとき、体重が大きく加わる踏付け部及び踵部を中心に設けるようにしてもよい。
【００３２】
なお、本発明のスポーツシューズのソール部のアウトソール下面には、これと一体の突起に加え、他の滑り防止用の突起物、例えば金属突起、ソフトスパイク等を適宜設けることができる。
【００３３】
ただし、本発明のゴルフシューズ用ソールは、アウトソールの接地面にこのような滑り止め用の突起を設けたものに何ら限定されず、突起のない、所謂スパイクレスシューズ用ソールであっても良く、本発明の第１立上部と第２立上部との構成によるアウトソールとミッドソールとの剥離防止効果は、むしろ、このようなスパイクレスシューズにおいて、より一層有効に発揮される。
【図面の簡単な説明】
【００３４】
【図１】（ａ）図は本発明のゴルフシューズ用ソールの実施の形態を示すソール幅方向の縦断面図であり、（ｂ）図は（ａ）図のＢ部の拡大図である。
【図２】（ａ）図は本発明のゴルフシューズ用ソールの別の実施の形態を示すソール幅方向の縦断面図であり、（ｂ）図は（ａ）図のＢ部の拡大図である。
【図３】市販のゴルフシューズ用ソールの一例を示す底面図である。
【図４】図３のIV−IV線に沿う断面図である。
【符号の説明】
【００３５】
１  ゴルフシューズ用ソール
２  アウトソール
３  ミッドソール
４  突起
５  立ち上げ縁部
１０，２０  ゴルフシューズ用ソール
１１，２１  アウトソール
１２，２２  ミッドソール
１３，２３  第１立上部
１４，２４  第２立上部
１５，２５  被覆片部
１６，２６  突起
【図１】
2006006636.tif 000003
【図２】
2006006636.tif 000004
【図３】
2006006636.tif 000005
【図４】
2006006636.tif 000006